(57)【要約】【課題】例えば、ドライブユニットをシャーシにロックした状態で防振構造体が凍結、もしくは他部品と癒着した場合であっても、この防振構造体を確実にフローティング状態に復元できるディスク装置を提供すること。【解決手段】ロック機構を解除する際に、防振構造体１１がフローティング状態に復元しない場合には、ドライブユニット９を強制的に押し上げ、防振構造体１１をフローティング状態に復元する復元支援機構２３０を備える。【選択図】図１２
2008226322.tif 000002
【特許請求の範囲】
【請求項１】
ドライブユニットを防振構造体を介してシャーシにフローティング状態で支持し、このドライブユニットにディスクをローディングし再生するとともに、少なくともディスクのイジェクトまたはローディング待機時に、前記フローティング状態を解除して前記ドライブユニットを前記シャーシにロックするロック機構を備えるディスク装置において、
このロック機構を解除する際に、前記防振構造体がフローティング状態に復元しない場合には、前記ドライブユニットを強制的に押し上げ、当該防振構造体をフローティング状態に復元する復元支援機構を備えることを特徴とするディスク装置。
【請求項２】
前記ロック機構は、前記シャーシに支持されて、前記ドライブユニットの前後方向に往復動作可能に配置され、ラックギアを有したトリガーカムと、このトリガーカムのラックギアに噛み合って、当該トリガーカムの往復動作に連動して回動するギアプレートと、このギアプレートの回動動作に連動して、前記ドライブユニットの左右方向に往復動作するロックプレートと、このロックプレートに設けられたロック片とを備え、前記トリガーカムを前後方向に動作し、前記ロックプレートを左右方向に往復動作させて、前記ロック片を、前記ドライブユニットに固定された固定片の溝に嵌入し、当該ドライブユニットを前記シャーシにロックする構成を備え、
前記復元支援機構は、前記ギアプレートの一端に設けられた押上片と、前記ドライブユニットに設けられ、前記ギアプレートが回動した場合に、前記押上片に当接して上方に押し退けられる突起部とを備えることを特徴とする請求項１に記載のディスク装置。
【請求項３】
前記押上片は、前記ロック片が前記固定片の溝から離脱した後に、前記突起部に当接可能に設けられていることを特徴とする請求項２に記載のディスク装置。
【請求項４】
前記突起部は、前記防振構造体がフローティング状態に復元した場合には、前記押上片と当接しない高さに形成されていることを特徴とする請求項２または３に記載のディスク装置。
【発明の詳細な説明】
【技術分野】
【０００１】
本発明は、車両に搭載されてＣＤ（コンパクトディスク）、ＤＶＤ（デジタル・バーサタイル・ディスク）等の記録媒体ディスクの情報を再生するディスク装置に関する。
【背景技術】
【０００２】
従来のディスクプレーヤは、ドライブユニットを防振構造体を介してシャーシにフローティング状態で支持し、このドライブユニットにディスクをローディングして再生すると共に、少なくともディスクのイジェクトまたはローディング待機時には、フローティング状態を解除してドライブユニットをシャーシにロックしている（例えば、特許文献１参照）。
【特許文献１】ＷＯ／２００１／０９１１１９号
【発明の開示】
【発明が解決しようとする課題】
【０００３】
ところで、この種のロック機構では、ドライブユニットをフローティング状態（初期位置）から下方に押し付けた状態でロックすることで、ディスクのクランプ開口寸法を維持するとともに、装置の薄型化の実現を図っている。この場合、ドライブユニットを支持する防振構造体はフローティング状態から押し潰されて変形される。
このため、ロック機構がロックした状態で、ディスク装置が低温（例えば−３０℃程度）、もしくは高温（例えば＋８５℃程度）の環境下に置かれると、防振構造体が変形した状態で凍結したり、他部品と癒着する場合があるため、ロックが解除しても、防振構造体がフローティング状態に復元されず、ストロークがアンバランスとなり耐震性能が劣化するといった問題が考えられる。
【０００４】
そこで、本発明の目的は、上述した従来の技術が有する課題を解消し、例えば、ドライブユニットをシャーシにロックした状態で防振構造体が凍結、もしくは他部品と癒着した場合であっても、この防振構造体を確実にフローティング状態に復元できるディスク装置を提供することにある。
【課題を解決するための手段】
【０００５】
本発明は、ドライブユニットを防振構造体を介してシャーシにフローティング状態で支持し、このドライブユニットにディスクをローディングし再生するとともに、少なくともディスクのイジェクトまたはローディング待機時に、前記フローティング状態を解除して前記ドライブユニットを前記シャーシにロックするロック機構を備えるディスク装置において、このロック機構を解除する際に、前記防振構造体がフローティング状態に復元しない場合には、前記ドライブユニットを強制的に押し上げ、当該防振構造体をフローティング状態に復元する復元支援機構を備えることを特徴とする。
【０００６】
この構成によれば、例えば、ドライブユニットをシャーシにロックした状態で防振構造体が凍結、もしくは他部品と癒着した場合であっても、この防振構造体を確実にフローティング状態に復元できるため、耐震性能の低下を防止できる。
【０００７】
この場合において、前記ロック機構は、前記シャーシに支持されて、前記ドライブユニットの前後方向に往復動作可能に配置され、ラックギアを有したトリガーカムと、このトリガーカムのラックギアに噛み合って、当該トリガーカムの往復動作に連動して回動するギアプレートと、このギアプレートの回動動作に連動して、前記ドライブユニットの左右方向に往復動作するロックプレートと、このロックプレートに設けられたロック片とを備え、前記トリガーカムを前後方向に動作し、前記ロックプレートを左右方向に往復動作させて、前記ロック片を、前記ドライブユニットに固定された固定片の溝に嵌入し、当該ドライブユニットを前記シャーシにロックする構成を備え、前記復元支援機構は、前記ギアプレートの一端に設けられた押上片と、前記ドライブユニットに設けられ、前記ギアプレートが回動した場合に、前記押上片に当接して上方に押し退けられる突起部とを備える構成としても良い。
【０００８】
また、前記押上片は、前記ロック片が前記固定片の溝から離脱した後に、前記突起部に当接可能に設けられている構成としても良い。また、前記突起部は、前記防振構造体がフローティング状態に復元した場合には、前記押上片と当接しない高さに形成されている構成としても良い。
【発明の効果】
【０００９】
本発明では、ロック機構を解除する際に、防振構造体がフローティング状態に復元しない場合には、ドライブユニットを強制的に押し上げるため、例えば、ドライブユニットをシャーシにロックした状態で防振構造体が凍結、もしくは他部品と癒着した場合であっても、この防振構造体を確実にフローティング状態に復元でき、ひいては、耐震性能の低下を防止できる。
【発明を実施するための最良の形態】
【００１０】
以下、本発明の一実施の形態を、図面に基づき説明する。
図１は、本実施の形態に係るディスクプレーヤ（ディスク装置）の外観を示す斜視図である。このディスクプレーヤには、ＣＤ、ＤＶＤ等の例えば直径８ｃｍや、直径１２ｃｍ等の大きさの異なる記録媒体ディスクが引き込まれて、このディスクに記録された情報が再生される。符号１は本体を示し、この本体１は板金製のシャーシ３を備えている。このシャーシ３はロアーシャーシ５と、このロアーシャーシ５の上方を覆うアッパーシャーシ７とを備え、その内側には、図１では図示を省略したが、ディスクをローディングするためのローディングメカニズム、ローディングされたディスクをクランプするためのクランプメカニズム、クランプされたディスクをドライブするためのドライブメカニズム等が設けられている。
【００１１】
図２は、アッパーシャーシ７を取り外した斜視図であり、図３は、ロアーシャーシ５の斜視図であり、図４は、ロアーシャーシ５にドライブユニット９を取り付けた左方視の斜視図であり、図５は、同じくロアーシャーシ５にドライブユニット９を取り付けた右方視の斜視図である。
【００１２】
上記ロアーシャーシ５は、図３に示すように、枠状に形成され、このロアーシャーシ５には、ダンパ及びばねを備えた３つの防振構造体１１が取り付けられ、この防振構造体１１の上に、図２に示すように、クランプメカやドライブメカが一体化されたドライブユニット９が載置され、フローティング支持されている。ここで、ドライブユニット９をフローティング支持している防振構造体１１の初期状態をフローティング支持状態という。
このドライブユニット９は、図４及び図５に示すように、ベースプレート１３と、このベースプレート１３の後端部の両側にヒンジ１５で連結され、先端１７Ａを閉じる方向にばね付勢されて、ベースプレート１３と協働してディスクを挟持するクランププレート１７とを備えている。このクランププレート１７の先端１７Ａには回転板１９が支持され、この回転板１９に対向するマグネット入りのターンテーブル２１が、ベースプレート１３に支持されている。そして、後述するように、ディスクが挿入されて、クランププレート１７が閉じると、先端１７Ａの回転板１９とマグネット入りのターンテーブル２１とで挟持（クランプ）されてディスクが回転可能になる。
【００１３】
図１に示すように、本体１の前面には横長のディスクの挿入口２３が形成され、この挿入口２３の奥には、図２に示すように、ロアーシャーシ５の前部のモータ２４で駆動されるローディングローラ２５が設けられている。
このローディングローラ２５は、挿入口２３へのディスクの挿入が検知されると、モータ２４により駆動されて、当該ディスクを本体１内に引き込む。このローディングローラ２５は、ローラプレート２７に支持され、このローラプレート２７の基部は、ヒンジピン２８によりロアーシャーシ５に連結されている。よって、このローディングローラ２５は、ヒンジピン２８を中心としたローラプレート２７の揺動により、その高さ位置を変位させて、ディスクと離接可能に構成されている。また、ローラプレート２７は、図示を省略したばねにより、このローラプレート２７の前端を下げて、ローディングローラ２５を持ち上げる方向に付勢されている。
【００１４】
ドライブユニット９の上面の左後部には支持ピン３０を介してトリガープレート３１が揺動自在に支持されている。このトリガープレート３１は、本体１内に引き込まれたディスクと当接し、このディスクをドライブユニット９にクランプさせるものである。このトリガープレート３１は、ばね３１Ｓにより、時計方向に付勢されており、その一端３１Ａ側には、ドライブユニット９の内方に折り曲げられた２つの爪部３２，３３が各々一体に形成されている。一方の爪部（小径トリガー部）３２は、引き込まれた８ｃｍディスクが当接可能であり、他方の爪部（大径トリガー部）３３には、引き込まれた１２ｃｍディスクが当接可能である。
トリガープレート３１の他端３１Ｂは、ドライブユニット９の外側に延出し、ドライブユニット９の外壁に沿って下方に折り曲げられている。この他端３１Ｂは、ロアーシャーシ５に配置されたトリガー３５の後面３５Ｋに当接する。そして、ディスクが本体１に引き込まれ、爪部３２，３３のいずれかに当接し、トリガープレート３１が反時計方向に回動すると、このトリガープレート３１が、トリガー３５を前進（矢印Ｘの方向）させる。このトリガー３５は、図４に示すように、ばね３４により、通常時、他端３１Ｂ側（矢印Ｙの方向）に付勢されている。
【００１５】
このトリガー３５の一部は、図４に示すように、ロアーシャーシ５の底部を前方に延出し、この延出部の上面にはトリガーラックギア３５Ａが一体に形成されている。このトリガーラックギア３５Ａの前方には、ロアーシャーシ５の側板５Ａに支持されたファイナルギア３７（図３参照）が配置されている。このファイナルギア３７は、通常時にトリガーラックギア３５Ａに噛み合わない位置に支持されており、トリガープレート３１が反時計方向に回動して、トリガー３５が前進したときにのみ、トリガーラックギア３５Ａに噛み合う。ファイナルギア３７は、図２に示すように、複数のギアからなるギア輪列３８を介して、ロアーシャーシ５の前部の上記モータ２４に連結されており、モータ２４の駆動時に、トリガーラックギア３５Ａとファイナルギア３７とが一旦噛み合うと、それ以後は、ファイナルギア３７、モータ２４の駆動力でトリガー３５が前進する。
【００１６】
このトリガー３５には、図４に示すように、トリガーカム４１が一体に連結されている。このトリガーカム４１は、ギア輪列３８の内側を当該ギア輪列３８と平行に延出し、その中程の上面には前方が徐々に、階段状に高くなるカム面４１Ａが形成され、その先端部にはローディングローラ２５の駆動軸２５Ａ（図２参照）を案内する前上がりの階段状の傾斜溝４１Ｂが形成されている。カム面４１Ａには、ドライブユニット９のクランププレート１７の一部１７Ｂが当接している。
トリガー３５がファイナルギア３７に噛み合い、ストロークエンドに移動した後、トリガーカム４１を押し出し、トリガーカム４１のラックがファイナルギア３７と噛み合い、トリガーカム４１が前進（矢印Ｘの方向）する。
【００１７】
上記トリガーカム４１が前進（矢印Ｘの方向）すると、上記一部１７Ｂが当接しているカム面４１Ａが徐々に低くなって、クランププレート１７が、ばね力で閉じる方向に揺動し、さらに前進してトリガーカム４１が前進限界の位置に移動すると、一部１７Ｂがカム面４１Ａから完全に離れ、クランププレート１７の先端の回転板１９と、ターンテーブル２１とによるディスクのクランプが完了する。それと同時に、クランププレート１７の一部１７Ｂとカム面４１Ａとの係合解除によって、ドライブユニット９が、３つの防振構造体１１を介して完全にフローティング支持される。また、同時に、ローディングローラ２５の駆動軸２５Ａが、傾斜溝４１Ｂに沿って低い位置に移動し、ローラプレート２７の揺動により、ローディングローラ２５が低く変位し、このローディングローラ２５が、クランプ時のディスクの下面から離れる。この状態において、ターンテーブル２１を回転させてディスクの再生が行われる。
【００１８】
上記モータ２４を逆回転させると、ギア輪列３８、ファイナルギア３７及びトリガーラックギア３５Ａを介して、トリガー３５及びトリガーカム４１が後退（矢印Ｙの方向）する。それに伴って、上記一部１７Ｂが当接しているカム面４１Ａが徐々に高くなり、クランププレート１７が、ばね力に抗して押し上げられて開く方向に揺動する。さらに後退してトリガーカム４１が後退限界の位置に移動すると、一部１７Ｂがカム面４１Ａの最も高い位置に乗り上げて、クランププレート１７の先端の回転板１９と、ターンテーブル２１との間にディスク挿入用の隙間を形成する。
【００１９】
それと同時に、ローディングローラ２５の駆動軸２５Ａが、傾斜溝４１Ｂに沿って徐々に高い位置に移動し、後退限界の位置では、ローラプレート２７の揺動により、ローディングローラ２５が、ディスクの下面に接触するまで高く変位する。そして、このディスクはローディングローラ２５によりイジェクトされる。
ディスクをイジェクトした後に、ローディング待機の状態となる。イジェクトもしくはローディング待機の状態では、ドライブユニット９が、次の説明によるロック機構により、シャーシ３にロックされる。
【００２０】
次に、ドライブユニット９のロック機構を説明する。
このロック機構は、第一ロック機構、及び第二ロック機構の２つの機構からなり、図６及び図７は、第一ロック機構のロック状態を示し、図８及び図９は、第一ロック機構のロック解除状態を示す。また、図１０は、第二ロック機構のロック状態を示し、図１１は、第二ロック機構のロック解除状態を示す。
【００２１】
第一ロック機構２５０は、図６に示すように、ロアーシャーシ５の底板に、ピン９１を介して、ギアプレート９２を支持して構成されている。このギアプレート９２の固定端９２Ａには、ばね９３の一端が連結されて、ばね９３の他端は、ロアーシャーシ５の固定部５Ｋに連結されている。このように、ギアプレート９２は、ピン９１の周りを回動自在に支持されると共に、常時、ばね９３で反時計方向に付勢されている。また、ギアプレート９２には、ピン９１の同心円上に円弧溝９２Ｂが形成され、この円弧溝９２Ｂには、ロアーシャーシ５に固定されたピン９７が遊嵌されている。このピン９７は上方に延び、ギアプレート９２の上方に延在するロックプレート９６のスライド孔９６Ｅに遊嵌されるとともに、このロックプレート９６の上方に当該ロックプレート９６と同一方向に延在するサブロックプレート９８の長孔９８Ａに遊嵌されている。また、ギアプレート９２には、２つの異なるカム孔９４，１９４が形成され、一方のカム孔９４はサブロックプレート９８のピン９５と嵌合している。また、他方のカム孔１９４はロックプレート９６のピン１９７と嵌合している。
【００２２】
ロックプレート９６は、ギアプレート９２の回動動作に連動して左右方向（矢印Ｑ１、Ｑ２の方向）に往復動作する。このロックプレート９６は、図中で左端９６Ａ、下端９６Ｂ、及び上端９６Ｃを有した平板であり、図７に示すように、上方に折り曲げられて立ち上がるロック片９６Ｄ，９６Ｆと、左右方向に延びる上記スライド孔９６Ｅ（図６）とを備えている。ロック片９６Ｄは、固定片９９の溝９９Ａに嵌入自在であり、この固定片９９は、ドライブユニット９のベースプレート１３（図１０参照）に一体に形成されている。また、ロック片９６Ｆは、固定片１３Ｘ（図１１参照）に嵌合自在であり、この固定片１３Ｘはベースプレート１３に一体に形成されている。
サブロックプレート９８は、上記ギアプレート９２の回動動作に連動してロックプレート９６の反対方向に往復動作する。すなわち、ロックプレート９６がギアプレート９２の回動動作に連動して左方向（矢印Ｑ１方向）に動作すると、サブロックプレート９８は、右方向（矢印Ｑ２方向）に動作する。また、ロックプレート９６が右方向（矢印Ｑ２方向）に動作すると、サブロックプレート９８は、左方向（矢印Ｑ１方向）に動作する。
このサブロックプレート９８には、２つのストッパ部９８Ｂ、９８Ｃ（図１１）が設けられている。サブロックプレート９８が左方向に動作した場合、ストッパ部９８Ｂは上記固定片９９の右側面に当接し、ストッパ部９８Ｃは固定片１３Ｘの右側面に当接する。
【００２３】
上述のように、ギアプレート９２のカム孔１９４に、ロックプレート９６のピン１９７が嵌合し、また、同じくカム孔９４に、サブロックプレート９８のピン９５が嵌合しているため、ギアプレート９２の回動に伴い、これらピン９５、１９７がカム孔９４、１９４内を移動することにより、ロックプレート９６とサブロックプレート９８とが、それぞれ図６に示す矢印Ｑ１、Ｑ２の方向に往復動作する。
図１１で、ロックプレート９６が、矢印Ｒ１の方向に動作すると、ロック片９６Ｄが、固定片９９の溝９９Ａに嵌入すると共に、ロック片９６Ｆが、固定片１３Ｘに嵌合する。この場合、サブロックプレート９８は、矢印Ｒ２の方向に動作し、ストッパ部９８Ｂが固定片９９の右側面に当接するとともに、ストッパ部９８Ｃが固定片１３Ｘの右側面に当接する。これにより、ドライブユニット９がシャーシ３にロックされる。
本構成では、ロック片９６Ｄ、９６Ｆがそれぞれ溝９９Ａ、固定片１３Ｘに嵌合することにより、ドライブユニット９が初期位置から下方に押し付けられ、このドライブユニット９を支持する防振構造体１１はフローティング支持状態から押し潰されて変形する。
一方、ロックプレート９６が、矢印Ｒ２の方向に動作すると、ロック片９６Ｄが、固定片９９の溝９９Ａから離脱すると共に、ロック片９６Ｆが、固定片１３Ｘから離脱する。この場合、サブロックプレート９８は、矢印Ｒ１の方向に動作し、ストッパ部９８Ｂ、９８Ｃが固定片９９、固定片１３Ｘから離間する。これにより、ドライブユニット９がロック解除され、防振構造体１１はフローティング支持状態に復元されるため、ドライブユニット９は初期位置に復帰する。
本実施形態では、ドライブユニット９をロックする場合に、このドライブユニット９を初期位置から下方に押し付けるため、クランプメカのクランプ開口を維持しつつ、装置の薄型化を図ることができる。
【００２４】
また、図３を参照し、トリガー３５の下部には貫通孔３５Ｍがあけられ、貫通孔３５Ｍにはフォーク爪２１１が嵌合し、このフォーク爪２１１は、図示を省略したが、ベースプレート１３に一体に形成されている。従って、トリガー３５が前進すると、貫通孔３５Ｍからフォーク爪２１１が離脱し、トリガー３５が後退限界位置にまで後退すると、このフォーク爪２１１が貫通孔３５Ｍに嵌合し、これによっても、ドライブユニット９がロック状態となる。本実施の形態では、ロック状態に至ると、フォーク爪２１１が貫通孔３５Ｍに嵌合し、ロック片９６Ｄが固定片９９の溝９９Ａに嵌入し、ロック片９６Ｆが固定片１３Ｘに嵌合し、３点でロックされる。
【００２５】
第二ロック機構２６０は、図１０に示すように、第一ロック機構２５０と反対側に位置し、ドライブユニット９に配置されている。
すなわち、第二ロック機構２６０は、カム部材１１１と、ロック部材１２１とで構成されている。カム部材１１１は、ピン１１２により、ドライブユニット９のベースプレート１３に回転自在に支持されており、その基端及び自由端には、各々ギア１１１Ａ，１１１Ｂが一体的に形成されている。基端のギア１１１Ａは、ドライブユニット９のクランププレート１７に形成されたギア１１３に噛み合い、自由端のギア１１１Ｂは、ロック部材１２１のギア１２１Ａに噛み合っている。
【００２６】
このロック部材１２１は、ピン１２２により、上記ベースプレート１３に回転自在に支持されており、その自由端１２１Ｂが、上記ドライブユニット９のクランププレート１７に形成された開口１２３から突出している。
この状態では、上記開口１２３から上方に突出した自由端１２１Ｂが、図示は省略したが、アッパーシャーシ７の裏面に当接し、自由端１２１Ｂの後方に延びた基端１２１Ｃが、図示は省略したが、ロアーシャーシ５に当接し、ドライブユニット９がアッパーシャーシ７とロアーシャーシ５とにロックされ、また、自由端１２１Ｂ及び基端１２１Ｃが伏せた状態（図１１）になると、ロックが解除される。
【００２７】
上記ロック機構のロック動作またはロック解除動作は、上述したトリガー３５、及びトリガーカム４１の動作に連動して行われる。
第一ロック機構２５０、及び第二ロック機構２６０は、タイムラグを持ってロックされ、またタイムラグを持ってロック解除される。ロック解除された場合、第一ロック機構２５０では、図８及び図９に示すように、ロック片９６Ｄが、固定片９９の溝９９Ａに嵌入しておらず、第二ロック機構２６０では、図１１に示すように、ロック部材１２１の自由端１２１Ｂが伏せ、クランププレート１７の開口１２３から突出していない。この場合、トリガー３５、及びトリガーカム４１は前進限界の位置にあり、上述したように、ドライブユニット９のクランププレート１７が、ディスクを挟持するため、マグネット及びばね力で閉じ、ドライブユニット９が、３つの防振構造体１１を介してフローティング支持され、ターンテーブル２１を回転させてのディスク再生が可能になる。
【００２８】
ディスクのイジェクト動作に入り、上記モータ２４を逆回転させて、トリガー３５、及びトリガーカム４１が後退（矢印Ｙの方向）すると、ラックギア４１Ｒに噛み合うギア９２Ｇを有したギアプレート９２が、ピン９１の周りを時計方向に回動し、それに連れて、ロックプレート９６が、図８で図中右方に徐々に移動する。そして、後退限界の位置に達すると、図６に示すように、ロックプレート９６のロック片９６Ｄが、固定片９９の溝９９Ａに嵌入すると共に、ロック片９６Ｆが固定片１３Ｘに嵌合し、さらに、フォーク爪２１１が貫通孔３５Ｍに嵌合して第一ロック機構２５０が機能し、ドライブユニット９が、アッパーシャーシ７とロアーシャーシ５とにロックされる。
【００２９】
また、トリガーカム４１を後退させた場合、クランププレート１７の先端１７Ａが、図１１の状態から図１０の状態に向けて徐々に開いていく。これが開く過程では、図１０に示すように、カム部材１１１が、クランププレート１７のギア１１３に噛み合って、矢印Ｓの方向に回動し、これに連動してロック部材１２１が、ギア１１１Ｂ及びギア１２１Ａを介して、矢印Ｔの方向に回動し、その自由端１２１Ｂが、上記クランププレート１７の開口１２３から突出する。そして、この突出した自由端１２１Ｂが、図示は省略したが、アッパーシャーシ７の裏面に当接し、基端１２１Ｃが、図示は省略したが、ロアーシャーシ５に当接し、第二ロック機構２６０が機能して、ドライブユニット９がアッパーシャーシ７とロアーシャーシ５とにロックされる。
【００３０】
ところで、これら第一ロック機構２５０、第二ロック機構２６０によりドライブユニット９をシャーシ３にロックした場合、上述のように、ドライブユニット９が初期位置から下方に押し付けられ、このドライブユニット９を支持する防振構造体１１はフローティング状態から押し潰されて変形される。このため、このロック機構がロックした状態で、ディスクプレーヤが低温（例えば−３０℃程度）環境下に置かれると、防振構造体１１が変形した状態で、この防振構造体１１内のオイルが凍結する場合があるため、ロックが解除しても、防振構造体１１がフローティング状態に復元されず、ストロークがアンバランスとなり耐震性能が劣化するといった問題が考えられる。また、ロック機構がロックした状態で、ディスクプレーヤが高温（例えば＋８５℃程度）環境下に置かれると、防振構造体１１が変形した状態で、他部品と癒着する場合があるため、上記と同様な問題が考えられる。
このため、本実施形態では、ロック機構が解除されても、防振構造体１１がフローティング状態に復元しない場合には、このロック機構の解除動作に連動して、防振構造体１１を強制的に変形させてフローティング状態に復元する復元支援機構２３０が設けられている。
【００３１】
本実施形態では、復元支援機構２３０は第一ロック機構２５０に設けられている。具体的には、図１２示すように、第一ロック機構２５０のギアプレート９２の一端９２Ｄに、この一端９２Ｄから外側に延出する押上片９２Ｅが設けられている。
この押上片９２Ｅは、ギアプレート９２が第一ロック機構２５０の解除方向（矢印Ｆ方向）に回動した場合に、ドライブユニット９のベースプレート１３に形成された突起部１３Ａと当接し、このベースプレート１３を上方に押し退ける。押上片９２Ｅには、下方に向かって下り勾配の傾斜面９２Ｅ１が形成され、この傾斜面９２Ｅ１上を突起部１３Ａが移動することにより、ベースプレート１３が押し上げるようになっている。
突起部１３Ａは、固定片９９の右側部近傍に設けられ、ベースプレート１３の下端部から下方に延出している。また、突起部１３Ａは、防振構造体１１がフローティング状態に復元した場合には、押上片９２Ｅと当接しない高さＨに形成されている。このため、ロック機構が解除された場合に、防振構造体１１がフローティング状態に復元していれば、押上片９２Ｅが突起部１３Ａに当接することが回避され、これら押上片９２Ｅ及び突起部１３Ａの磨耗が防止される。
【００３２】
また、押上片９２Ｅは、ロックプレート９６のロック片９６Ｄがベースプレート１３の固定片９９の溝９９Ａから離脱した後に、突起部１３Ａに当接可能に設けられている。このため、図１３に示すように、ロック機構が解除した後に、押上片９２Ｅが突起部１３Ａに当接することにより、ドライブユニット９が上方に押し上げられる。
これによれば、防振構造体１１が弾性変形することにより、この防振構造体１１の凍結等による固化状態が解消されるため、簡単な構成で防振構造体１１をフローティング状態に復元することができる。さらに、本実施形態では、ロック機構の解除動作、すなわち、第一ロック機構２５０のギアプレート９２の回動動作に連動して、ドライブユニット９を上方に押し上げているため、専用のアクチュエータが不要となり、部品点数及びコストの低減を図ることができる。
本実施形態では、復元支援機構２３０として、第一ロック機構２５０のギアプレート９２に押上片９２Ｅを設ける構成としたが、これに限るものではなく、例えば、第二ロック機構２６０のロック部材１２１の基端１２１Ｃがロアーシャーシ５と当接して、ドライブユニット９が上方に押し上げる構成としても良いことは勿論である。
【００３３】
次に、本体１内に引き込まれたディスクをドライブユニット９のクランプ位置に案内する案内する機構について説明する。図１４は、クランププレートを下面から見た斜視図であり、図１５は、クランププレートを上面から見た斜視図である。
クランププレート１７には、図１４に示すように、本体１内に引き込まれたディスクの外周部に当接し、このディスクをクランプ位置に案内する一対のガイドアーム４３、４４が設けられている。これらガイドアーム４３、４４は、クランププレート１７の先端の回転板１９に対しほぼ中心振り分けで配置され、当該ガイドアーム４３、４４の前端には、ディスクに当接する当接部４３Ａ、４４Ａが形成される。ガイドアーム４３、４４の後端には軸受部４３Ｂ、４４Ｂが形成され、これら軸受部４３Ｂ、４４Ｂは、クランププレート１７から下方に延出するピン４５、４６に遊嵌される。また、これらガイドアーム４３、４４は、ばね４７、４８により、閉じる方向（矢印Ａの方向）に付勢されている。また、ガイドアーム４３、４４の上面には、図７に示すように、クランププレート１７に形成されたガイド孔４９、５０（図１４）を通じて当該クランププレート１７の上面側に延在するガイドピン４３Ｃ、４４Ｃが設けられている。
【００３４】
本構成では、図１に示すように、挿入されるディスクの外周部に当接して挿入口２３の側方に退避するターンプレート５１と、このターンプレート５１の動作に連動するスライドプレート５２及びセレクタプレート５３とを備える。ターンプレート５１及びスライドプレート５２はアッパーシャーシ７上に配置され、セレクタプレート５３はクランププレート１７上に配置されている。このセレクタプレート５３は、ディスクの挿入に際してターンプレート５１の動作に連動し、ガイドアーム４３、４４のガイドピン４３Ｃ、４４Ｃと係合または離脱することにより、当該ガイドアーム４３、４４の動作を規制する規制部材として機能する。
【００３５】
ターンプレート５１は、アッパーシャーシ７の左前部の上面に、ピン５４を介して揺動自在に連結され、ばね５５により閉じる方向に付勢されている。このターンプレート５１には、挿入口２３に臨むゲートピン５６が取り付けられている。また、ターンプレート５１の基部には略Ｊ字型のガイド孔５１Ａが形成され、このガイド孔５１Ａに嵌るピン５７がスライドプレート５２に取り付けられている。このスライドプレート５２には、ディスクの挿入方向（矢印Ｙの方向）に延びた一対のスライド孔５２Ａ、５２Ｂが形成され、このスライド孔５２Ａ、５２Ｂにアッパーシャーシ７の一部を切り起こして、上方に立ち上げたガイド片５８、５９が嵌っている。また、スライドプレート５２の後端５２Ｃは前方に折り返されており、セレクタプレート５３の一端に形成された連結部５３Ａに係合されている。
【００３６】
セレクタプレート５３は、図１５に示すように、クランププレート１７の略中央上面に、ピン６０を介して揺動自在に連結され、ばね６１により時計方向に付勢されている。また、セレクタプレート５３には、ピン６１の左右に形成された一対のガイド孔５３Ｂ、５３Ｃと、上記連結部５３Ａ側の一端に形成され、当該セレクタプレート５３の動作範囲を規制するためのスライド孔５３Ｄとが形成されている。上記ガイド孔５３Ｂ、５３Ｃには、クランププレート１７の上方に延出するガイド片６２、６３が嵌り、上記スライド孔５３Ｄには、当該クランププレート１７の上方に延出する規制片６４が嵌っている。
また、セレクタプレート５３には、本体内にディスクが挿入されていない初期状態において、上記ガイドアーム４３、４４のガイドピン４３Ｃ、４４Ｃと係合する係合溝５３Ｅ、５３Ｆが形成されている。この係合溝５３Ｅ、５３Ｆとガイドピン４３Ｃ、４４Ｃとが係合することにより、ガイドアーム４３、４４の動作が規制される。また、係合溝５３Ｅ、５３Ｆは、クランププレート１７の付勢方向（時計方向）側が開放されており、このクランププレート１７が反時計方向に回動すると、ガイドピン４３Ｃ、４４Ｃが係合溝５３Ｅ、５３Ｆから離脱して、ガイドアーム４３、４４の動作が可能となる。
【００３７】
ディスクが挿入口２３に挿入された場合、ディスクは、ターンプレート５１のゲートピン５６を側方に押し退ける。例えば、１２ｃｍ径の大きいディスク１００が挿入されると、図１６に示すように、ディスク１００の外周部１００Ａがゲートピン５６を挿入口２３の側方に押し退け、ターンプレート５１が開く方向（矢印Ｄの方向）に回動する。この回動に伴い、ピン５７が、ガイド孔５１Ａの中を移動し、これにより、ターンプレート５１の揺動に連動し、スライドプレート５２が、ガイド片５８、５９に沿って本体１の前方（矢印Ｘ方向）に移動する。
スライドプレート５２の移動に伴い、このスライドプレート５２に係合されたセレクタプレート５３の連結部５３Ａが前方に引っ張られるため、このセレクタプレート５３は、ばね６１に抗して反時計方向（矢印Ｅ方向）に回動する。この回動により、ガイドアーム４３、４４のガイドピン４３Ｃ、４４Ｃが係合溝５３Ｅ、５３Ｆから離脱するため、当該ガイドピン４３Ｃ、４４Ｃの動作が可能となる。
これによれば、図１７に示すように、ディスク１００の外周部１００Ａがガイドアーム４３、４４の当接部４３Ａ、４４Ａと当接することにより、このガイドアーム４３、４４が徐々に側方（矢印Ｂ方向に）に開き、当該ガイドアーム４３、４４によってディスク１００がクランプ位置に案内される。
【００３８】
図１８は、８ｃｍ径の小さいディスク２００を挿入する場合の斜視図である。この場合には、挿入口２３の幅に比してディスク径が小さいため、挿入口２３の一方の端に偏って挿入される恐れがある。例えば、ディスク２００がゲートピン５６の側に偏って挿入された場合、ディスク２００の外周部２００Ａがゲートピン５６を挿入口２３の側方に押し退け、ターンプレート５１が開く方向（矢印Ｄの方向）に回動する。このため、上記１２ｃｍ径ディスク１００と同様に、ターンプレート５１の動作に連動して、セレクタプレート５３が回動することにより、ガイドアーム４３、４４のガイドピン４３Ｃ、４４Ｃが係合溝５３Ｅ、５３Ｆから離脱するため、当該ガイドピン４３Ｃ、４４Ｃの動作が可能となる。しかしながら、８ｃｍ径ディスク２００は、１２ｃｍ径ディスクに比べて径が小さいため、この８ｃｍ径ディスク２００をクランプ位置に達するまでに、ターンプレート５１は、ばね５５の付勢力によって初期位置の状態に戻る。このターンプレート５１の動作に連動して、セレクタプレート５３も初期位置に戻るため、ガイドアーム４３、４４のガイドピン４３Ｃ、４４Ｃはセレクタプレート５３の係合溝５３Ｅ、５３Ｆと係合し、当該ガイドアーム４３、４４の動作が規制される。
これによれば、図１９に示すように、ガイドアーム４３、４４は初期状態の位置から動作しないため、ディスク２００の外周部２００Ａがガイドアーム４３、４４の当接部４３Ａ、４４Ａと当接することにより、このディスク２００がクランプ位置に案内される。
【００３９】
次に、１２ｃｍ径のディスクが挿入された場合に、トリガープレート３１の爪部３２をローディング経路から退避させる退避機構２４０について説明する。本構成では、退避機構２４０は、上記セレクタプレート５３及びクランププレート１７を備えて構成されている。このセレクタプレート５３は、上記ガイドアーム４３、４４の規制部材として機能するとともに、トリガープレート３１の爪部３２をローディング経路から退避させる退避機構としても機能する。
上述のように、セレクタプレート５３は、ターンプレート５１の動作に連動してピン６０と中心に回動するようになっている。本構成では、セレクタプレート５３には、図１２に示すように、その後端部５３Ｇから当該セレクタプレート５３の延在方向に沿って延出する片５３Ｈが一体に形成されている。また、トリガープレート３１には、上記セレクタプレート５３の片５３Ｈ上に位置するように、当該トリガープレート３１の前端部から前方に延出する作動片３１Ｃが形成されている。
また、クランププレート１７の上面には、上記作動片３１Ｃの下方に、このクランププレート１７の一部を切り起こした凸部７０が形成されている。この凸部７０は、本体１の後方から前方へ向けて上昇するように傾斜した後、先端部が略水平に形成されている。
【００４０】
１２ｃｍ径のディスクが挿入されると、上述のように、この１２ｃｍ径のディスクの外周部がゲートピンを挿入口の側方に押し退けることにより、ターンプレートが開く方向に回動する。そして、この回動に伴い、スライドプレートがガイド片に沿って本体の前方に移動する。これにより、図２１に示すように、スライドプレートに係合されたセレクタプレート５３の連結部５３Ａが前方に引っ張られるため、このセレクタプレート５３は、ばねに抗して反時計方向（矢印Ｅ方向）に回動する。
そして、セレクタプレート５３の回動に伴い、このセレクタプレート５３の片５３Ｈがクランププレート１７の凸部７０上を移動することにより、この片５３Ｈの位置が上方に移動する。これによれば、図２２に示すように、この片５３Ｈ上に延在するトリガープレート３１の作動片３１Ｃが当該片５３Ｈにより上方に持ち上げるため、このトリガープレート３１の爪部３２をローディング経路ＲＫから退避させることができる。従って、１２ｃｍ径のディスク１００は、上記ローディング経路ＲＫを搬送されてトリガープレート３１の爪部３３に当接してクランプが実行される。
この場合、セレクタプレート５３の片５３Ｈの厚みを調整することにより、上記爪部３２をローディング経路ＲＫから退避させる際のストロークを調整することができる。これによれば、上記爪部３２を確実にローディング経路ＲＫから退避させることが可能となる。
【００４１】
一方、８ｃｍ径のディスクを挿入する場合には、図２０に示すように、セレクタプレート５３は、初期位置の状態にあるため、セレクタプレート５３の片５３Ｈがクランププレート１７の凸部７０上を移動することはなく、トリガープレート３１の爪部３２がローディング経路ＲＫから退避されることはない。従って、図２３に示すように、この爪部３２はローディング経路ＲＫに延在するため、８ｃｍ径のディスク２００は、当該爪部３２に当接することによりクランプが実行される。
【図面の簡単な説明】
【００４２】
【図１】本発明に係るディスクプレーヤの一実施の形態を示す斜視図である。
【図２】アッパーシャーシを取り外した斜視図である。
【図３】ロアーシャーシの斜視図である。
【図４】ロアーシャーシにドライブユニットを取り付けた左方視の斜視図である。
【図５】ロアーシャーシにドライブユニットを取り付けた右方視の斜視図である。
【図６】第一ロック機構のロック状態を示す平面図である。
【図７】第一ロック機構のロック状態を示す斜視図である。
【図８】第一ロック機構のロック解除状態を示す平面図である。
【図９】第一ロック機構のロック解除状態を示す斜視図である。
【図１０】第二ロック機構のロック状態を示す斜視図である。
【図１１】第二ロック機構のロック解除状態を示す斜視図である。
【図１２】復元支援機構を示す斜視図である。
【図１３】ドライブユニットを押し上げた状態を示す斜視図である。
【図１４】クランププレートを下面から見た斜視図である。
【図１５】クランププレートを上面から見た斜視図である。
【図１６】１２ｃｍ径のディスクを挿入した際のターンプレート及びセレクタプレートの動作を示す斜視図である。
【図１７】１２ｃｍ径のディスクを挿入した際のガイドアームの動作を示す図である。
【図１８】８ｃｍ径のディスクを挿入した際のターンプレート及びセレクタプレートの動作を示す斜視図である。
【図１９】８ｃｍ径のディスクを挿入した際のガイドアームの動作を示す図である。
【図２０】セレクタプレートとトリガープレートとの配置関係を示す斜視図である。
【図２１】セレクタプレートの動作に連動するトリガープレートの動作を示す斜視図である。
【図２２】図２１に対応する部分破断斜視図である。
【図２３】図２０に対応する部分破断斜視図である。
【符号の説明】
【００４３】
１  本体
３  シャーシ
５  ロアーシャーシ
７  アッパーシャーシ
９  ドライブユニット
１１  防振構造体
１３  ベースプレート
１３Ａ  突起部
１３Ｘ  固定片
１７  クランププレート
２３  挿入口
３１  トリガープレート
３１Ｃ  作動片
３２，３３  爪部
４１  トリガーカム
４１Ｒ  ラックギア
９２  ギアプレート
９２Ｄ  一端
９２Ｅ  押上片
９２Ｇ  ギア
９６  ロックプレート
９６Ｄ  ロック片
９９  固定片
９９Ａ  溝
１００  １２ｃｍ径ディスク（大径ディスク）
１００Ａ  外周部
２００  ８ｃｍ径ディスク（小径ディスク）
２００Ａ  外周部
２４０  退避機構
２５０  第一ロック機構
２６０  第二ロック機構
【図１】
2008226322.tif 000003
【図２】
2008226322.tif 000004
【図３】
2008226322.tif 000005
【図４】
2008226322.tif 000006
【図５】
2008226322.tif 000007
【図６】
2008226322.tif 000008
【図７】
2008226322.tif 000009
【図８】
2008226322.tif 000010
【図９】
2008226322.tif 000011
【図１０】
2008226322.tif 000012
【図１１】
2008226322.tif 000013
【図１２】
2008226322.tif 000014
【図１３】
2008226322.tif 000015
【図１４】
2008226322.tif 000016
【図１５】
2008226322.tif 000017
【図１６】
2008226322.tif 000018
【図１７】
2008226322.tif 000019
【図１８】
2008226322.tif 000020
【図１９】
2008226322.tif 000021
【図２０】
2008226322.tif 000022
【図２１】
2008226322.tif 000023
【図２２】
2008226322.tif 000024
【図２３】
2008226322.tif 000025